(57)【要約】【課題】自動的にオフセット電圧を調整できるオフセット調整回路およびトナー残量検知装置を提供する。【解決手段】スイッチ５０を閉じて、オペアンプ４１の出力に現れるオフセット電圧をＡ／Ｄコンバータ４２によってデジタルのオフセット信号に変換してメモリ４３に記憶する。トナー残量検知動作時には、スイッチ５０を開き、発光ダイオード２１を点灯させ、トナーを透過した光をホトトランジスタ２２で受光し、受光出力信号をオペアンプ４１で増幅し、コンパレータ４６で受光出力信号と、メモリ４３に記憶されているオフセット電圧を固有値で補正したしきい値とを比較し、受光出力信号の増幅成分のうち、オフセット電圧を超える受光信号をトナー残量検知信号としてＣＰＵ４７に出力する。【選択図】図５
2007101597.tif 000002
【特許請求の範囲】
【請求項１】
オペアンプのオフセット電圧を調整するオフセット調整回路であって、
前記オペアンプに信号が入力されていないときに、前記オペアンプから出力されるオフセット電圧を記憶する記憶手段と、
前記オペアンプに信号が入力されているときに、前記記憶手段に記憶しているオフセット電圧を読み出し、そのオフセット電圧と前記オペアンプで増幅された入力電圧とを比較して、前記オフセット電圧を除去した信号を出力する比較手段とを備える、オフセット調整回路。
【請求項２】
前記記憶手段は、さらに予め定める固有値を記憶し、
前記比較手段は、前記記憶手段から前記オフセット電圧を読み出すときに前記固有値を併せて読み出し、前記固有値に基づいて前記オフセット電圧を補正し、前記補正されたオフセット電圧と前記オペアンプで増幅された入力電圧とを比較する、請求項１に記載のオフセット調整回路。
【請求項３】
前記記憶手段は、さらに予め定める固有値を記憶し、
前記比較手段は、前記記憶手段から前記オフセット電圧を読み出すときに前記固有値を併せて読み出し、前記オフセット電圧に基づいて前記固有値を補正し、前記補正されたオフセット電圧と前記オペアンプで増幅された入力電圧とを比較する、請求項１に記載のオフセット調整回路。
【請求項４】
前記オペアンプの入力端を接地レベルに設定するスイッチを含み、
前記記憶手段は、前記スイッチによって前記オペアンプの入力端が接地レベルに設定されているときの前記オペアンプから出力される電圧をオフセット電圧として記憶する、請求項１から３のいずれかに記載のオフセット調整回路。
【請求項５】
前記オペアンプに受光信号を出力する受光素子と、
前記受光素子に対して発光信号を出力する発光素子とを含み、
前記記憶手段は前記発光素子が発光を停止しているときに前記オペアンプから出力される電圧をオフセット電圧として記憶する、請求項１から４のいずれかに記載のオフセット調整回路。
【請求項６】
周方向に複数に分割されてそれぞれに異なる色のトナーが封入されるトナー室を含み、回転することで各色のトナーで画像を現像する現像機を有する回転型現像装置において、各トナーの残量を検知するトナー残量検知装置であって、
前記回転現像装置に対して所定の位置に設けられ、いずれかの現像機が回転して所定の位置にあるときに、当該現像機のトナー室に光を照射する発光素子と、前記トナー室内のトナーを透過した光を受光する受光素子とを含むトナー残量検知センサと、
前記受光素子からの受光出力を増幅して、前記トナーの残量を示すトナー残量検知信号を出力するオペアンプと、
前記オペアンプに信号が入力されていないときに、前記オペアンプから出力されるオフセット電圧を記憶する記憶手段と、
前記オペアンプに前記受光出力が入力されているときに、前記記憶手段に記憶しているオフセット電圧を読み出し、そのオフセット電圧と前記オペアンプで増幅された電圧とを比較して、前記オフセット電圧を除去したトナー残量検知信号を出力する比較手段とを備える、トナー残量検知回路。
【請求項７】
周方向に複数に分割されてそれぞれに異なる色のトナーが封入されるトナー室を含み、回転することで各色のトナーで画像を現像する現像機を有する回転型現像装置において、各トナーの残量を検知するトナー残量検知装置であって、
前記回転現像装置に対して所定の位置に設けられ、いずれかの現像機が回転して所定の位置にあるときに、当該現像機のトナー室に光を照射する発光素子と、前記トナー室内のトナーを透過した光を受光する受光素子とを含むトナー残量検知センサと、
前記受光素子からの受光出力を増幅して、前記トナーの残量を示すトナー残量検知信号を出力するオペアンプと、
固有値を記憶する記憶手段と、
前記オペアンプに前記受光出力が入力されているときに、前記記憶手段に記憶している固有値を読み出し、その固有値と前記オペアンプで増幅された電圧とを比較して、トナー残量検知信号を出力する比較手段とを備える、トナー残量検知回路。
【請求項８】
前記各現像機は、前記発光素子からの光を前記トナー室に導いて前記トナーに照射する第１の光学手段と、前記トナーに照射されて前記トナーを透過した光を前記受光素子に導く第２の光学手段とを含む、請求項６または７に記載のトナー残量検知装置。
【発明の詳細な説明】
【技術分野】
【０００１】
この発明はオフセット調整回路およびこれを用いたトナー残量検知回路に関し、例えば、オペアンプの出力に生じるオフセット電圧を調整するオフセット調整回路およびこれを用いてトナー残量を検出するトナー残量検知装置に関する。
【背景技術】
【０００２】
図６は特開平１０−１９８１４９号公報（特許文献１）に記載されているプリンタの概略構成図である。図６において、感光体ドラム１は、矢印Ａ向きに回転駆動されながら、帯電チャージャ２により一様に帯電された後、レーザ光学装置３により画像情報に基づき走査露光されて感光体ドラム１の表面に静電潜像が形成される。ここで、露光する画像情報は、所望のフルカラー画像をイエロー，マゼンタ，シアン，および黒の色情報に分解した単色の画像情報である。感光体ドラム１上に形成された静電潜像は、回転型現像装置４により各々所定の現像剤としてのイエロー，マゼンタ，シアン，および黒トナーで現像され、これにより感光体ドラム１上に各色画像が形成される。
【０００３】
感光体ドラム１上に形成された各色画像は、感光体ドラム１と同期して図中矢印Ｂ向きに回転する中間転写ベルト５上に、イエロー，マゼンタ，シアン，および黒の単色毎に１次転写チャージャ６によって順次重ね転写される。中間転写ベルト５上に重ね合わされたイエロー，マゼンタ，シアン，および黒の画像は、両面複写兼用自動給紙カセット７あるいは手差し給紙トレイ７ａから給紙ローラ８，８ａ，レジストローラ９を経て転写部へ搬送され、転写紙１０上に２次転写チャージャ１１により一括転写される。転写終了後の転写紙１０は定着装置１２によりトナー像が定着され、フルカラープリントとして機外に排出される。
【０００４】
なお、中間転写ベルト５上に転写されなかった感光体ドラム１上のトナーは、感光体クリーナ１３により感光体ドラム１から除去され、また、転写紙１０上に転写されなかった中間転写ベルト５上のトナーは、中間転写ベルトクリーナ１４により中間転写ベルト５から除去される。
【０００５】
図６に示した回転型現像装置４において、イエロー，マゼンタ，シアン，および黒トナーの残量を検知する必要があるが、その方法として、発光ダイオードの光を現像機内のトナーに透過させ、その光を受けて電気信号に変換し、残量を検知する方法がある。透過した光は、トナーの残量により、光の強弱となり、それが電気信号の強弱として変換され、その強弱を検出することでトナーの残量を検知する。
【０００６】
従来の単色の画像形成装置では、トナーが１色であるため、トナーを透過した受光信号を比較的増幅率の小さなオペアンプで増幅しても十分トナーの残量検知が可能である。しかし、フルカラーの画像形成装置では、４色の異なるトナーの残量を検知する必要があり、各色によってトナーの光の透過率が異なっている。また、透過しやすい色でもトナーが有りと無しの差が出るようにする必要があるので発光量を抑えている。このため、発光ダイオードの発光量を小さくしてオペアンプの増幅率を高く設定して検知精度を上げることが行われている。
【０００７】
しかし、オペアンプにはオフセット電圧が存在するため、微弱な信号に対してオフセット電圧が誤差となって現れてしまい検知精度が悪くなってしまう。例えば、オペアンプの増幅率が１００倍として、入力電圧が０．０３３Ｖで、オフセット電圧が９ｍＶしかなくても、オペアンプの出力電圧は３．３Ｖまで増幅されるが、９００ｍＶのオフセット電圧が含まれてしまい、３０％もの誤差が含まれてしまうことになる。
【０００８】
このようなオフセット電圧を補正するために、特開平２−７６４０６号公報（特許文献２）には、オフセット補正装置について記載されている。このオフセット補正装置は、オペアンプの出力側にオフセット電圧が与えられるコンパレータを設け、コンパレータの出力側に発光ダイードを接続し、発光ダイオードの点灯状態を見ながらオペアンプに接続されている可変抵抗を調整してオフセット電圧を補正する。
【特許文献１】特開平１０−１９８１４９号公報（段落番号００２３、図１）
【特許文献２】特開平２−７６４０６号公報（第２頁第４欄〜第６欄、図１）
【発明の開示】
【発明が解決しようとする課題】
【０００９】
特許文献２に記載されているオフセット補正装置では、各トナーごとに最適なオフセット補正値を設定しなければならず、手間と時間がかかってしまうという問題がある。
【００１０】
そこで、この発明の目的は、自動的にオフセット電圧を調整できるオフセット調整回路およびこれを用いたトナー残量検知装置を提供することである。
【課題を解決するための手段】
【００１１】
この発明は、オペアンプのオフセット電圧を調整するオフセット調整回路であって、オペアンプに信号が入力されていないときに、オペアンプから出力されるオフセット電圧を記憶する記憶手段と、オペアンプに信号が入力されているときに、記憶手段に記憶しているオフセット電圧を読み出し、そのオフセット電圧とオペアンプで増幅された電圧とを比較して、オフセット電圧を除去した信号を出力する比較手段とを備える。
【００１２】
好ましくは、記憶手段は、さらに予め定める固有値を記憶し、比較手段は記憶手段からオフセット電圧を読み出すときに固有値を併せて読み出し、固有値に基づいてオフセット電圧を補正し、補正されたオフセット電圧とオペアンプで増幅された入力電圧とを比較する。
【００１３】
好ましくは、記憶手段は、さらに予め定める固有値を記憶し、比較手段は、記憶手段からオフセット電圧を読み出すときに固有値を併せて読み出し、オフセット電圧に基づいて固有値を補正し、補正されたオフセット電圧とオペアンプで増幅された入力電圧とを比較する。
【００１４】
一実施形態では、オペアンプの入力端を接地レベルに設定するスイッチを含み、記憶手段は、スイッチによってオペアンプの入力端が接地レベルに設定されているときのオペアンプから出力されるオフセット電圧を記憶する。
【００１５】
他の実施形態では、オペアンプに受光信号を出力する受光素子と、受光素子に対して発光信号を出力する発光素子とを含み、記憶手段は発光素子が発光を停止しているときにオペアンプから出力されるオフセット電圧を記憶する。
【００１６】
この発明の他の局面は、周方向に複数に分割されてそれぞれに異なる色のトナーが封入されるトナー室を含み、回転することで各色のトナーで画像を現像する複数の現像機を有する回転型現像装置において、各トナーの残量を検知するトナー残量検知装置であって、回転現像装置に対して予め定める位置に設けられ、いずれかの現像機が回転して所定の位置にあるときに、当該現像機のトナー室に光を照射する発光素子と、トナー室内でトナーを透過した光を受光する受光素子とを含むトナー残量検知センサと、受光素子からの受光出力を増幅して、トナーの残量を示すトナー残量検知信号を出力するオペアンプと、オペアンプに信号が入力されていないときに、オペアンプから出力される電圧をオフセット電圧として記憶する記憶手段と、オペアンプに出力が入力されているときに、記憶手段に記憶しているオフセット電圧を読み出し、そのオフセット電圧とオペアンプで増幅された電圧とを比較して、オフセット電圧を除去したトナー残量検知信号を出力する比較手段とを備える。
【００１７】
この発明の他の局面は周方向に複数に分割されてそれぞれに異なる色のトナーが封入されるトナー室を含み、回転することで各色のトナーで画像を現像する現像機を有する回転型現像装置において、各トナーの残量を検知するトナー残量検知装置であって、回転現像装置に対して所定の位置に設けられ、いずれかの現像機が回転して所定の位置にあるときに、当該現像機のトナー室に光を照射する発光素子と、トナー室内のトナーを透過した光を受光する受光素子とを含むトナー残量検知センサと、受光素子からの受光出力を増幅して、トナーの残量を示すトナー残量検知信号を出力するオペアンプと、固有値を記憶する記憶手段と、オペアンプに受光出力が入力されているときに、記憶手段に記憶している固有値を読み出し、その固有値とオペアンプで増幅された電圧とを比較して、トナー残量検知信号を出力する比較手段とを備える。
【００１８】
好ましくは、各現像機は、発光素子からの光をトナー室に導いてトナーに照射する第１の光学手段と、トナーに照射されてトナーを透過した光を受光素子に導く第２の光学手段とを含む。
【発明の効果】
【００１９】
この発明は、オペアンプに信号が入力されていないときに、オペアンプから出力される電圧をオフセット電圧として記憶し、オペアンプに信号が入力されているときに、記憶しているオフセット電圧を読み出し、そのオフセット電圧とオペアンプで増幅された電圧とを比較して、オフセット電圧を除去した出力信号を導出するようにしたので、自動的にオフセット電圧を調整できる。
【００２０】
また、各現像機のトナー残量を検知するときに記憶したオフセット電圧を共通のしきい値として比較手段でオペアンプの出力を比較しているので、各現像機ごとに検知されるトナー残量検知信号にバラツキを生じることがない。
【発明を実施するための最良の形態】
【００２１】
図１はこの発明の一実施形態のオフッセット調整回路を用いたトナー残量検知装置が設けられる回転型現像装置を示す外観斜視図であり、図２はトナー残量検知装置に含まれるトナー残量検知センサの構成を示す外観斜視図であり、図３および図４は回転型現像装置と、トナー残量検知センサとの配置関係を示す図である。
【００２２】
図１に示す回転型現像装置３０は、プリンタや複写機などの画像形成装置に設けられるものであって、円筒状に形成されており、周方向に回転することで、図６で説明したように、感光体ドラム上に形成された静電潜像を各々所定の現像剤としてのイエロー，マゼンタ，シアン，および黒トナーで現像し、感光体ドラム上に各色画像を形成する。このために、回転型現像装置３０は、周方向に４分割された４個の現像機３１を含む。４個の現像機３１には、イエロー，マゼンタ，シアン，および黒トナーが個別に封入されている。各現像機３１に封入されているイエロー，マゼンタ，シアン，および黒トナーの残量を検出するためにトナー残量検知センサ２０が、回転型現像装置３０の端面に対向して、ある間隔を有して所定の位置に設けられている。
【００２３】
トナー残量検知センサ２０は、図２に示すように、発光素子としての発光ダイオード２１と、受光素子としてのホトトランジスタ２２と、コネクタ２３とが基板２４に取り付けて構成されている。発光ダイオード２１と、ホトトランジスタ２２は、所定の間隔を隔ててそれぞれの光軸が平行になるように設けられている。
【００２４】
各現像機３１には、図３に示すように発光ダイオード２１と、ホトトランジスタ２２とに対向するように、第１および第２の光学手段としての光学系２５，２６と、プリズム２７，２８とが設けられている。光学系２５の一端側は入射面として、それぞれの光軸が一致するように発光ダイオード２１に対向しており、他端側にはプリズム２７が設けられている。光学系２６の一端側は出射面として、それぞれの光軸が一致するようにホトトランジスタ２２に対向しており、他端側にはプリズム２８が設けられている。プリズム２７，２８の間には、トナーを攪拌するための攪拌羽根３６，３６を有する攪拌ロータ３５が設けられている。
【００２５】
現像機３１の側壁３２には、図３に示すように矩形の穴３３，３４が形成されており、その穴３３，３４に図２に示した光学系２５，２６が挿入されており、それぞれの一端の端面が側壁３２に露出している。プリズム２７，２８は、現像機３１内のトナー室３７に露出している。現像機３１の側壁３２から露出している光学系２５，２６の一端に対向して、トナー残量検知センサ２０が配置される。
【００２６】
トナー残量検知センサ２０は、回転型現像装置３０が回転して各現像機３１の側壁３２に対向して、発光ダイオード２１と、ホトトランジスタ２２とが各光学系２５と２６とに対向したときに、対応する現像機３１のトナー残量を検知する。これにより、各現像機３１のそれぞれにトナー残量検知センサを設けることなく、各現像機３１が回転するつど、１つのトナー残量検知センサ２０により、４つの現像機３１のトナー残量を順次検知できる。
【００２７】
トナー残量検知センサ２０の発光ダイオード２１と、ホトトランジスタ２２はコネクタ２３を介して図５に示すオフセット調整回路４０に接続されている。トナー残量検知センサ２０と、オフセット調整回路４０とによってトナー残量検知装置が構成されている。なお、トナー残量を検知するときは、攪拌羽根３６によって光が遮られないように、攪拌ロータ３５は図２に示す状態から９０度回転した状態を維持している。
【００２８】
図５はこの発明の一実施形態におけるオフセット調整回路を示す回路図である。図５において、図２および図３に示したホトトランジスタ２２の出力は、トナー残量検知信号として、オペアンプ４１の正転入力端（＋）に与えられている。オペアンプ４１の正転入力端と接地間にはスイッチ５０が設けられている。スイッチ５０を閉じることにより、オペアンプ４１の正転入力端を接地レベルに設定し、出力に現れるオフセット電圧を検出することができる。
【００２９】
オペアンプ４１はトナー残量検知信号を増幅する。オペアンプ４１の反転入力端（−）と接地間には抵抗Ｒ１が接続されており、反転入力端と出力端との間には負帰還抵抗Ｒ２が接続されている。オペアンプ４１の出力信号は、抵抗Ｒ３を介してＡ／Ｄコンバータ４２と比較手段としてのコンパレータ４６の比較入力端に与えられる。
【００３０】
Ａ／Ｄコンバータ４２は、スイッチ５０が閉じられているときに、オペアンプ４１の出力信号に現れるオフセット電圧をデジタル信号に変換して、メモリ４３に与える。メモリ４３はそのオフセット電圧を記憶する。メモリ４３には、予め各色ごとに異なる固有値が記憶されている。この固有値は、各色の入力レベルが同じとは限らないので補正するための値である。
【００３１】
各現像機での現像時には、メモリ４３からオフセット電圧と、各色に対応した固有値が読み出されてしきい値補正回路４４に与えられ、しきい値補正回路４４でオフセット電圧から固有値を減算して補正し、しきい値電圧に変換される。このしきい値電圧は、Ｄ／Ａコンバータ４５でアナログ信号に変換されてしきい値信号としてコンパレータ４６の基準入力端に与えられる。
【００３２】
コンパレータ４６は、しきい値信号と、オペアンプ４１の出力である増幅後のトナー残量検知信号とを比較し、しきい値信号を超える信号成分をトナー残量検知信号として出力する。ＣＰＵ４７は発光ダイオード２１を駆動するための駆動信号を出力してトランジスタ４８のベースに与える。トランジスタ４８のコレクタには抵抗Ｒ４を介して発光ダイオード２１のカソードが接続されており、アノードには直流電圧＋Ｖが供給されている。トランジスタ４８のエミッタは接地されている。
【００３３】
次に、この発明の一実施形態のオフセット調整回路の動作について説明する。まず、オフセット電圧を調整するために、スイッチ５０を閉じる。スイッチ５０を閉じたことにより、オペアンプ４１の正転入力端は接地レベルになり、オペアンプ４１の出力にはオフセット電圧のみが現れる。このオフセット電圧は、Ａ／Ｄコンバータ４２によってデジタルのオフセット電圧に変換される。デジタル信号に変換されたオフセット電圧はメモリ４３に記憶される。
【００３４】
各色のトナー残量検知動作時には、スイッチ５０を開いた状態で、ＣＰＵ４７が駆動信号を出力してトランジスタ４８をオンさせて、発光ダイオード２１を点灯させる。発光ダイオード２１で発光された光は、一方の光学系２５の一端側の入射面に入射され、プリズム２７で反射され、プリズム２７と２８との間に存在するトナーを透過して、他方のプリズム２８に入射され、光学系２６を介してホトトランジスタ２２に入射される。ホトトランジスタ２２の受光出力信号は、オペアンプ４１の正転入力端に与えられる。
【００３５】
オペアンプ４１は受光出力信号を増幅し、コンパレータ４６に比較入力として与える。オペアンプ４１の出力には受光出力信号の増幅成分のみならず、オフセット電圧も現れている。ＣＰＵ４７はメモリ４３のアドレスを指定して、予め記憶されているオペアンプ４１のオフセット電圧と対応する固有値を読み出す。この固有値は検知しようとしている色の現像機を図示しないセンサで検出し、その検出信号に基づいて関連する固有値をメモリ４３から読み出せばよい。読み出されたオフセット電圧と、固有値はしきい値補正回路４４に与えられ、固有値に基づいてオフセット電圧が補正されてしきい値電圧が出力され、Ｄ／Ａコンバータ４５によってアナログ信号に変換されてコンパレータ４６に基準入力として与えられる。
【００３６】
コンパレータ４６は比較入力である受光出力信号の増幅成分と、しきい値電圧とを比較し、受光出力信号の増幅成分のうち、オフセット電圧を超える成分のみを受光信号としてＣＰＵ４７に出力する。これにより、ＣＰＵ４７にはオフセット成分が除去された受光出力信号の増幅成分が与えられる。
【００３７】
このように、オペアンプ４１に入力信号が与えられていないときのオペアンプ４１の出力電圧を各色に対応した固有値とともにメモリ４３に予め記憶しておき、トナー残量検知動作時に各色に対応した固有値とともにメモリ４３から読み出し、固有値で補正してアナログ信号に変換したしきい値電圧をしきい値として受光出力信号の増幅成分を出力することで、オフセット電圧に影響されない受光出力信号を得ることができる。ＣＰＵ４７はその受光出力信号に基づいて、トナーの残量を検知できる。
【００３８】
しかも、トナー残量検知センサ２０とオフセット調整回路４４とは、各現像機３１のトナー残量を検出するのに共用しており、各トナー残量検知信号である受光出力に対して、メモリ４３に記憶されているオフセット電圧を固有値で補正して、コンパレータ４６で比較するようにしたので、各現像機３１ごとのトナー残量検知にバラツキを生じることがない。
【００３９】
なお、スイッチ５０を設けることなく、ＣＰＵ４７による発光ダイオード２１の駆動を停止してホトトランジスタ２２からの出力信号がオペアンプ４１の正転入力端に与えられないようにして、オフセット電圧を調整するようにしてもよい。
【００４０】
また、上述の実施形態では、オペアンプ４１の入力信号が与えられていないときのオフセット電圧をデジタル信号に変換してメモリ４３に記憶し、オペアンプ４１に入力信号が与えられたときにメモリ４３に記憶しているオフセット電圧を固有値で補正し、アナログ信号に変換してコンパレータ４６にしきい値電圧として与えるようにした。しかし、これに限ることなく、オペアンプ４１の入力信号が与えられていないときのオフセット電圧をアナログ値で記憶しておき、オペアンプ４１に入力信号が与えられたときに、そのアナログ値をコンパレータ４６に与えるようにしてもよい。
【００４１】
さらに、上述の実施形態では、オフセット電圧を固有値で補正するようにしたが、固有値からオフセット電圧を除去して補正した値をしきい値電圧としてもよく、あるいは単にオフセット電圧をしきい値電圧としてもよい。
【００４２】
上記実施の形態においては、固有値を補正値として記憶したが、これに限らず、固有値を各色ごとの基準値として記憶し、これをオペアンプ４１の出力信号とをコンパレータ４６で比較するようにしてもよい。この場合、この固有値をオフセット電圧で補正するようにしてもよい。
【００４３】
さらに、上述の説明では、この発明をプリンタや複写機などの画像形成装置のトナー残量を検知するオペアンプ４１のオフセット電圧を調整する場合に適用したが、これに限ることなく、その他の電子機器においてオペアンプを使用する場合において、オフセット電圧を調整するものに適用してもよい。
【００４４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４５】
【図１】この発明の一実施形態のトナー残量検知装置が設けられる回転型現像装置を示す外観斜視図である。
【図２】トナー残量検知装置に含まれるトナー残量センサの外観斜視図である。
【図３】現像機とトナー検知センサの配置状態を示す外観斜視図である。
【図４】現像機とトナー検知センサの配置状態を示す外観斜視図である。
【図５】この発明の一実施形態におけるオフセット調整回路を示す回路図である。
【図６】従来のプリンタの概略構成図である。
【符号の説明】
【００４６】
２０  トナー残量検知センサ、２１  発光ダイオード、２２  ホトトランジスタ、２５，２６  光学系、２７，２８  プリズム、３０  回転型現像装置、３１  現像機、３２  側壁、３７  トナー室、４１  オペアンプ、４２  Ａ／Ｄコンバータ、４３  メモリ、４４  しきい値補正回路、４５  Ｄ／Ａコンバータ、４６  コンパレータ、４７  ＣＰＵ、４８  トランジスタ、５０  スイッチ。
【図１】
2007101597.tif 000003
【図２】
2007101597.tif 000004
【図３】
2007101597.tif 000005
【図４】
2007101597.tif 000006
【図５】
2007101597.tif 000007
【図６】
2007101597.tif 000008